(57)【要約】【課題】  部品を追加することなく熱負荷を受けたときのランプ落下を回避できるランプソケットを提供する。【解決手段】樹脂製のソケット本体１は、ランプ口金の一対のランプピン１１をその突出方向と直角な方向に挿入させる溝２を側面から前面に連続して形成している。一対の接触片２１はソケット本体１内において一対のランプピン１１が接触する。そして一対の接触片２１は、それぞれ垂直方向に延長した細長状板により形成されて水平方向に相対向し、一対の接触片２１のランプピン１１が接触する個所にそれぞれランプピン１１が落下しないように折曲されたランプピン保持部２０を形成し、かつ一対の接触片２１がランプピン保持部２０から離れた位置でソケット本体１に固定されている。【選択図】        図１
2006302755.tif 000002
【特許請求の範囲】
【請求項１】
ランプ口金の一対のランプピンをその突出方向と直角な方向に挿入させる溝を側面から前面に連続して形成し前記溝を通して前記一対のランプピンを内部に移動させる樹脂製のソケット本体と、前記ソケット本体内において前記一対のランプピンが接触する一対の接触片とを備えたランプソケットにおいて、
前記一対の接触片は、それぞれ垂直方向に延長した細長状板により形成されて水平方向に相対向し、前記一対の接触片の前記ランプピンが接触する個所にそれぞれ前記ランプピンが落下しないように折曲されたランプピン保持部を形成し、かつ前記一対の接触片が前記ランプピン保持部から離れた位置で前記ソケット本体に固定されていることを特徴とするランプソケット。
【発明の詳細な説明】
【技術分野】
【０００１】
この発明は、例えば直管蛍光ランプを装着する回転式ソケットなどのランプソケットに関するものである。
【背景技術】
【０００２】
第１の従来例を図２および図３に示す。すなわち、樹脂製のソケット本体１はランプ口金の一対のランプピン１１をその突出方向と直角な方向に挿入させる溝２を側面の下面側から前面に連続して形成している。ソケット本体１はボディ３と、カバー４からなり、これらに溝２が形成され、溝２に連通するカバー４の前面の回転子用穴４ａには溝２に連通してランプピン１１を案内するスリット溝５を直径方向に形成した回転子６を配置し、回転子６をボディ３の底部に突設した筒部７で回転自在に保持している。一対の接触片８は、ソケット本体１内において、溝２を通して一対のランプピン１１が挿入される方向すなわち垂直方向に延長した細長状板であり、ソケット本体１内で水平方向に相対向配置され、一端８ａがボディ３のリブ９と壁部１０との間に挟持され、ランプピン１１が接触片８の対向面に接触する。
【０００３】
ランプピン１１を溝２よりスリット溝５に通しながらランプ口金１２をソケット本体１の中心に位置し、その位置でランプ口金１２を約９０度回動すると回転子６がともに回動しながら、ランプピン１１が接触片８に接触し給電を受ける。このとき、ランプ１３は主に回転子６によって自重を保持される。
【０００４】
第２の従来例（例えば特許文献１参照）は、一対のランプピンを挿入する一対の溝を形成し、ソケット本体内に垂直方向に延びかつ両端が保持された一対の接触片にランプピンが支持され、これによってランプが保持されている。
【特許文献１】特開平１１−２１４１０３号公報
【発明の開示】
【発明が解決しようとする課題】
【０００５】
上記のように、第１の従来例は、ランプがソケット本体に装着された状態で、ランプを回転子により保持し、第２の従来例はランプをソケット本体に支持された接触片により保持している。
【０００６】
ところで、直管蛍光ランプのランプ寿命末期にランプフィラメント付近からの発熱によりランプ口金やランプソケットが温度上昇するおそれがあった。
【０００７】
これに対して、ランプソケットの耐熱性を向上させる手段が用いられている。具体的にはランプソケットの材質を磁器、熱硬化性樹脂、耐熱に優れる熱硬化性樹脂（ＰＢＴなど）にすることが行われている。
【０００８】
しかし、磁器の使用においては衝撃に弱く、寸法精度も悪く、小型化が困難で電線接続部の速結端子の採用なども困難であるという問題がある。
【０００９】
熱硬化性樹脂の採用により寸法精度などはやや改善できるが、成形性が悪く、経年寸法変化（熱収縮）が生じ、また材料のリサイクル困難など環境問題への対応が難しいといった問題がある。
【００１０】
耐熱性の熱可塑性材料の使用により上記の問題はほとんど解決されるが、耐熱性材料は一般的に高価化で、耐アーク性、耐トラッキング性など電気性能に劣るという問題がある。
【００１１】
さらにこの樹脂製のランプソケットでは、ランプソケットが熱負荷を受けたときに回転子が溶融したり、ソケット本体の接触片を支持する部分が溶融して、ランプが落下するといった重大な問題がある。ランプ落下を生じないようにするための手段として、ランプ保持ばねを照明器具に設ける方法が１１０Ｗなど長尺のランプに対して用いられている。さらにランプ側で温度上昇を抑制する手段として、ランプ口金部に温度ヒューズを設ける方法がコンパクト蛍光灯やハロゲンランプなどで用いられている。
【００１２】
しかし、部品点数が増加しコストアップにつながるという問題がある。
【００１３】
本発明は、かかる事由に鑑みて成されたものであり、その目的とするところは、部品を追加することなく熱負荷を受けたときのランプ落下を回避できるランプソケットを提供することである。
【課題を解決するための手段】
【００１４】
この発明のランプソケットは、樹脂製のソケット本体がランプ口金の一対のランプピンをその突出方向と直角な方向に挿入させる溝を側面から前面に連続して形成し前記溝を通して前記一対のランプピンを内部に移動させる。一対の接触片は前記ソケット本体内において前記一対のランプピンが接触する。前記一対の接触片は、それぞれ垂直方向に延長した細長状板により形成されて水平方向に相対向し、前記一対の接触片の前記ランプピンが接触する個所にそれぞれ前記ランプピンが落下しないように折曲されたランプピン保持部を形成し、かつ前記一対の接触片が前記ランプピン保持部から離れた位置で前記ソケット本体に固定されている。
【発明の効果】
【００１５】
この発明のランプソケットによれば、ランプの発熱によりソケット本体のランプピン保持部の近傍の個所が溶融しても、ランプがランプピンを介して接触片により保持されているため落下を防止できる。このため、部品点数を増加することなく安価にすることができる。
【発明を実施するための最良の形態】
【００１６】
この発明の一実施の形態を図１および図２により説明する。従来例で説明したように、ソケット本体１が樹脂製のボディ３と、樹脂製のカバー４からなり、カバー４の前面に樹脂製の回転子６を設けている。ソケット本体１をより詳細に説明すると、図１に示すようにボディ３は周縁の内方に周壁１５を立設し、カバー４は周壁１５に被さる側面となる外壁と前面壁を有し、外壁の両側に取付脚１６をボディ３の後方に延出している。このようなソケット本体１にランプピン１１を挿入させるため、ランプピン１１をその突出方向と直角な方向に挿入させる溝２を側面の下側から前面に連続して形成し、溝２を通して一対のランプピン１１を内部に移動させるようにしている。ソケット本体１の前面すなわちカバー４の溝２の長手方向の中央には回転子用穴４ａが形成されている。またボディ３は回転子用穴４ａの中心となる位置に筒部７を立設し、筒部７の端部中央に溝２に沿った割り溝１２を形成するとともに、外周に周溝１３を形成している。ボディ３とカバー４の連結部（図示せず）は例えば爪と係止部の係合や連結具等を用いる。回転子６は回転子用穴４ａを塞ぐものであり、溝２に連通するスリット溝５を直径方向に形成し、スリット溝５の中央位置に穴部１７を形成するとともに穴部１７の裏面側の周囲より筒部７に嵌合する外筒部１８を突出し、外筒部１８の内周面に周溝１３に係合する突部（図示せず）を形成し、回転子６を筒部７に回転自在に保持している。
【００１７】
一対の接触片２１は細長状板の導電板により形成され、筒部７の両側に水平方向に対向するように縦長に配置され、一端１９がボディ３に一体成形されて保持され、その一端１９は端子となるように外面に露出している。接触片２１の他端はボディ３内でボディ３に接触することなく自由となっている。また接触片２１の中間部の筒部７の両側に例えばくの字形に折曲されたランプピン保持部２０を有し、このランプピン保持部２０でランプピンを保持している。例えばくの字の深さはランプピン１１の半径以上にすると確実に落下防止することができるので好ましい。
【００１８】
ランプの装着はランプピン１１を溝２から上方に挿入し先に入ったランプピン１１がスリット溝５を通ってランプ口金を回転子６の中央に位置させ、この状態でランプ口金を回動すると、ランプピン１１が接触片２１の対向面を摺動してランプピン保持部２０に嵌合する。これにより、ランプピン１１が接触片２１に接触し、ランプフィラメントに給電可能となるとともに、ランプが接触片２１によって保持される。したがって、たとえランプ口金が温度上昇してランプピン１１の近傍の樹脂例えば外筒部１８が溶融することがあっても、ランプピン１１から離れた接触片２１の端子側となる一端を一体成形した部分が溶融しない限り、ランプは接触片２１に保持されたまま落下することが防止される。
【００１９】
なお、この発明において、接触片２１はソケット本体１に一体成形される場合に限らず、ソケット本体のリブ等により挟持されたり係止されてソケット本体１に固定されるものでもよい。また接触片２１は両持ち支持されてもよい。さらにランプピン保持部２０の形状はくの字形に限らずＺ字形や横Ｕ字形などがある。
【図面の簡単な説明】
【００２０】
【図１】この発明の一実施の形態のボディの概略正面図である。
【図２】ランプピンの外観斜視図である。
【図３】（ａ）はランプを装着した状態のランプソケットの側面図、（ｂ）はランプピンを挿入する前のボディの正面図、（ｃ）はランプピンを挿入した状態の正面図である。
【符号の説明】
【００２１】
１    ソケット本体
２    溝
３    ボディ
４    カバー
１１    ランプピン  
１９    一端
２０    ランプピン保持部
２１    接触片
【図１】
2006302755.tif 000003
【図２】
2006302755.tif 000004
【図３】
2006302755.tif 000005